(57)【特許請求の範囲】
【請求項１】
組立住宅を構成する住宅ユニットの垂直目地の防水に使用される一組の防水テープであって、前記各防水テープは、ゴムシートの裏面の両側縁に沿って互いに分割された粘着剤層を備え、隣接させた住宅ユニットのそれぞれに、前記各防水テープの前記一側縁の粘着剤層を貼着し、前記住宅ユニットに貼着された前記各防水テープの他側縁の粘着剤層同士を互いに貼着させて使用できるようにしたことを特徴とする一組の防水テープ。
【請求項２】
前記一組の防水テープは、前記他側縁の粘着剤層同士を互いに貼着させるとともに、巻き取り、前記住宅ユニット間に押し込むようにして使用できるようにしたことを特徴とする請求項１に記載の一組の防水テープ。
【請求項３】
前記各ゴムシートの表面の一側縁に沿って粘着剤層を形成し、前記裏面及び表面の粘着剤層の夫々に剥離シートを設けたことを特徴とする請求項１又は２に記載の一組の防水テープ。
【請求項４】
前記ゴムシートの裏面側の一方の粘着剤層に養生フィルムを被覆したことを特徴とする請求項３記載の一組の防水テープ。
【発明の詳細な説明】
【０００１】
【産業上の利用分野】
本発明は組立住宅を構成する住宅ユニットの垂直目地を防水するための防水テープに関する。
【０００２】
【従来の技術】
従来、組立住宅を構成する住宅ユニットの垂直目地を防水するために、ゴムシートの裏面に粘着剤層を形成すると共に、該粘着剤層に剥離シートを設けた防水テープが用いられている。
前記防水テープは、予め住宅ユニットを工場で製作する際に住宅ユニットを構成する床根太等に防水テープの半部を貼着しておき、施工現場において住宅ユニット同士を隣接させて組み立てた後、防水テープの残りの半部を粘着剤層を利用して互いに接続し、住宅ユニット同士のジョイント部の垂直目地の防水を行うようにしている
。
【０００３】
【発明が解決しようとする課題】
しかしながら、前記従来の防水テープの場合、住宅ユニットを構成する床根太等に防水テープの半部を貼着する際、剥離シートを半部のみ剥がして床根太等に貼着しているため、正確な位置への貼着が困難であるばかりでなく、貼着後には残余の剥離シートが剥がれてしまい、防水テープが意図しない場所に貼り付いたりし、また、そのために防水テープが使用前に粘着力を失ってしまい、完全な防水施工を行えないという不都合を有する。
本発明は、前記従来の不都合を解消し、施工が容易でしかも完全な防水施工を行える防水テープを提供することを目的とする。
【０００４】
【課題を解決するための手段】
本発明は、上記従来の課題を解決した防水テープを提供するもので、組立住宅を構成する住宅ユニットの垂直目地の防水に使用される一組の防水テープであって、前記各防水テープは、ゴムシートの裏面の両側縁に沿って互いに分割された粘着剤層を備え、隣接させた住宅ユニットのそれぞれに、前記各防水テープの前記一側縁の粘着剤層を貼着し、前記住宅ユニットに貼着された前記各防水テープの他側縁の粘着剤層同士を互いに貼着させて使用できるようにしたことを特徴とする。
また、前記各ゴムシートの表面の一側縁に沿って粘着剤層を形成し、前記裏面及び表面の粘着剤層の夫々に剥離シートを設けることが好ましい。
また、更に、前記ゴムシートの裏面側の一方の粘着剤層には養生フィルムを被覆しておくことが好ましい。
【０００５】
前記ゴムシートはブチルゴム、エチレン・プロピレンゴム（ＥＰＤＭ）等の防水性に優れたゴムを厚み０．３ｍｍ程度、長さ２００〜３５０ｍｍ程度のシート状にしたものが好ましい。また、ゴムシートの伸びを押さえる為、ポリエステル織布（厚み０．２ｍｍ）を複合させることが好ましい。
【０００６】
また、前記各粘着剤層はゴム系粘着剤、アクリル系粘着剤等、防水性に優れた粘着剤を厚み０．３ｍｍ程度の層状に形成することが好ましい。この、裏面に形成される粘着剤層の巾は、貼着場所の巾に合わせておけば、貼着の際、位置決めがしやすくなるので好ましい。
【０００７】
また、前記各剥離シートはクラフト離型紙等で構成し、各粘着剤層の夫々を被覆するようにする。
【０００８】
また、前記養生フィルムは例えば厚み０．３ｍｍ、幅８５ｍｍの高密度ポリエチレンフィルム（ＨＤＰＥ）の長手方向両端に幅１５ｍｍの片面アクリル糊付テープを５ｍｍ接合させ、これら糊付テープを介してゴムシートの側縁を袋状に被覆できるよう構成する。
【０００９】
【作用】
ゴムシートの裏面の両側縁に沿って互いに分割された粘着剤層を形成すると共に、該粘着剤層の夫々に剥離シートを設けるようにしたため、防水テープの一側縁に形成された粘着剤層の剥離シートのみを剥がしながら、この剥離シートを剥がされた粘着剤層をその巾によって位置決めしつつ所定位置に正確に貼着できる。  また、他側縁に形成された粘着剤層は剥離シートで被覆されているため、施工現場での貼着時まで粘着力を維持したまま保護できる。
また、前記ゴムシートの表面の一側縁に沿って粘着剤層を形成すると共に、該粘着剤層に剥離シートを設けた場合は、この粘着剤層を外壁パネルに貼着させることにより、外壁パネルに対しても、防水シートを水密に貼着することができる。
また、前記ゴムシートの裏面側の他側縁の粘着剤層に養生フィルムを被覆しておけば、住宅ユニットの外壁パネルへの塗装時にゴムシートを保護できる。
【００１０】
【実施例】
次に本発明の防水テープの実施例について図面に基づき説明する。
図中１は本発明の防水テープを示すもので、厚み０．５ｍｍ、巾１００ｍｍ、長さ３３５ｍｍのブチル系ゴムシート２の裏面の各側縁に沿って厚み０．３ｍｍのゴム系粘着剤層３，４を形成すると共に、該各ゴム系粘着剤層３，４の上に、クラフト離型紙から成る剥離シート５，６を設けてある。尚、粘着剤層３の巾は粘着箇所に合わせた所定巾、本実施例では３８ｍｍとした。また、粘着剤層４の巾は粘着剤層４，４同士の接合巾があればよく、本実施例では２０ｍｍとした。
また、前記ゴムシート２の表面の一側縁にも該側縁に沿って厚み０．３ｍｍのゴム系粘着剤層７を形成すると共に、該ゴム系粘着剤層７の上に、クラフト離型紙から成る剥離シート８を設けてある。
また、前記ゴムシート２の裏面側の一方の粘着剤層４はゴムシート２の側縁ごとＨＤＰＥから成る養生フィルム９で袋状に被覆するようにした。
【００１１】
次に、前記防水テープによる防水施工例について説明する。
まず、図２に示すように、住宅ユニット１０を構成する床根太１１の下端部に沿って水平目地用の防水テープ１２を貼着後、上記本発明防水テープ１の一側縁の粘着剤層３の剥離シート５を剥がしながら、粘着剤層３の巾に合わせて位置決めしつつ粘着剤層３を床根太１１の側縁に貼着する。
かくして、図３に示すように、防水テープ１の裏面側の一側縁の粘着剤層３は床根太１１の側縁の所定位置に貼着され、他側縁の粘着剤層４は剥離シート６によって保護されたままとなる。
次に、図３に示すように、防水テープ１の表面の粘着剤層７の剥離シート８を剥がしてから、図３中は図略の外壁パネル１３を取り付け、更に、外壁パネル１３の塗装を完了させる。尚、図中１４はユニット吊り上げ用の補強金具を示す。
【００１２】
次に、図５に示すように、施工現場で住宅ユニット１０，１０同士を隣接させて組み立て後、隣接する各防水テープ１の養生フィルム９を取り除くと共に、防水テープ１裏面の剥離シート６を剥ぎとり、図６に示すように、露出した粘着剤層４，４同士を外壁パネル１３の表面を利用して貼り合わせて接合し、図７に示すように巻き取り、更に、巻き取り後は、図８に示すように住宅ユニット１０，１０間の隙間に押し込み、防水施工を完了する。尚、図中１５はタテ水きりを示し、前記巻き取られた防水テープ１，１はタテ水きり１５の後方に位置するように押し込む。
【００１３】
【発明の効果】
このように本発明によれば、ゴムシートの裏面の両側縁に沿って互いに分割された粘着剤層を形成すると共に、該粘着剤層の夫々に剥離シートを設けるようにしたため、貼着作業が容易で、しかも正確な位置に貼着でき、完全な防水施工を行える防水テープを提供できる。
【図面の簡単な説明】
【図１】本発明防水テープの一実施例の斜視図
【図２】前記防水テープによる施工工程を示す斜視図
【図３】前記防水テープによる施工工程を示す斜視図
【図４】図３のＡ−Ａ断面図
【図５】前記防水テープによる施工工程を示す斜視図
【図６】前記防水テープによる施工工程を示す斜視図
【図７】前記防水テープによる施工工程を示す斜視図
【図８】前記防水テープによる施工工程を示す斜視図
【符号の説明】
１    防水テープ
２    ゴムシート
３    粘着剤層（裏面）
４    粘着剤層（裏面）
５    剥離シート（裏面）
６    剥離シート（裏面）
７    粘着剤層  （表面）
８    剥離シート（表面）
９    養生フィルム
１０    住宅ユニット
１１    床根太
１２    防水シート
１３    外壁パネル
１４    補強金具
１５    タテ水きり
【図１】
0003540387.tif 000002
【図２】
0003540387.tif 000003
【図３】
0003540387.tif 000004
【図４】
0003540387.tif 000005
【図５】
0003540387.tif 000006
【図６】
0003540387.tif 000007
【図７】
0003540387.tif 000008
【図８】
0003540387.tif 000009